(57)【要約】【課題】操作軸の清掃具を液圧に抗して液体輸送管内の清掃対象領域に確実、容易に送り込むことができ、且つ、その送り込み状態を確実に維持することができるものでありながら、操作軸に対する操作性を高めて管内清掃作業能率の向上を図る。【解決手段】液体輸送管１の開閉弁６に対して接続可能な作業用ケース７に、液体輸送管１の内壁を清掃する清掃具８を備えた操作軸９を、操作軸芯方向に摺動自在で、且つ、回転並びに傾動可能に貫設し、操作軸９の外側軸部に、操作軸芯周りで回転自在な連結具１０を設け、この連結具１０と固定部との間には、液体輸送管１内の液圧に抗して操作軸９の清掃具８を液体輸送管１内に押し込み移動させる押込み操作手段１１を設け、操作軸９の外側軸部に操作力を付与する操作力付与手段１２を設け、さらに、押込み操作手段１１には、操作力付与手段１２による操作軸９の傾動操作を許容する融通を設けてある。【選択図】図１０
2011041898.tif 000002
【特許請求の範囲】
【請求項１】
管内清掃対象の液体輸送管の開閉弁に対して液密状態で接続可能な作業用ケースに、液体輸送管の内壁を清掃する清掃具を備えた操作軸を、液密状態を維持したまま操作軸芯方向に摺動自在で、且つ、回転並びに傾動可能に貫設し、前記操作軸のうち、前記作業用ケースの外部に突出する外側軸部に、操作軸芯周りで回転自在な連結具を設け、この連結具と固定部との間には、前記液体輸送管内の液圧に抗して前記操作軸の清掃具を液体輸送管内に押し込み移動させる押込み操作手段を設けるとともに、前記操作軸の外側軸部に操作力を付与する操作力付与手段を設け、さらに、前記押込み操作手段には、前記操作力付与手段による操作軸の傾動操作を許容する融通を設けてある管内清掃装置。
【請求項２】
前記連結具の連結回転筒における作業用ケース側の端面と、これに操作軸芯方向から相対向する状態で前記操作軸に設けられた第１受け部との間に第１スラストベアリングが介装されている請求項１記載の管内清掃装置。
【請求項３】
前記連結具の連結回転筒における操作軸の外側軸端側の端面と、これに操作軸芯方向から相対向する状態で前記操作軸の外側軸部に設けられた第２受け部との間に第２スラストベアリングが介装されている請求項２記載の管内清掃装置。
【請求項４】
前記操作軸が、前記清掃具を備えた第１操作軸と、前記操作力付与手段及び連結具を備えた第２操作軸とから構成され、前記第２操作軸には、第１操作軸の外側軸部に螺合固定される連結筒部が形成されているとともに、前記連結筒部の端面又は当該連結筒部の端面に当接する状態で第１操作軸の外側軸部に螺合固定されるロックナットの端面が、前記作業用ケースに操作軸芯方向から当接して前記操作軸の最大押込み位置を規制する押込み規制面に構成されている請求項１〜３のいずれか１項に記載の管内清掃装置。
【請求項５】
前記操作軸の外側端部には、当該操作軸に回転力を付与する駆動回転手段の回転出力部と手動回転操作ハンドルが選択的に着脱自在に嵌合接続される受動軸部が形成されている請求項１〜４のいずれか１項に記載の管内清掃装置。
【請求項６】
前記固定部が、前記操作軸の連結具に対して操作軸芯方向で相対向する状態で前記作業用ケースに設けられた固定連結部材から構成されている請求項１〜５のいずれか１項に記載の管内清掃装置。
【請求項７】
前記操作軸には、前記作業用ケースに対する操作軸の押込み側への移動に制動力を付与する移動規制手段が設けられている請求項１〜６のいずれか１項に記載の管内清掃装置。
【発明の詳細な説明】
【技術分野】
【０００１】
本発明は、水道管に一体形成された分岐管や、水道管に外装固定された割Ｔ字管の分岐管など、錆び瘤等が発生している管内清掃対象の液体輸送管に装着されている開閉弁に連結して、この開閉弁を通して液体輸送管内の清掃対象領域を清掃する管内清掃装置に関する。
【背景技術】
【０００２】
従来の管内清掃装置では、管内清掃対象の液体輸送管の開閉弁に対して液密状態で接続可能な作業用ケースに、液体輸送管の内壁を清掃する清掃具を備えた操作軸を、液密状態を維持したまま操作軸芯方向に摺動自在で、且つ、回転並びに傾動可能に貫設し、前記操作軸のうち、前記作業用ケースの外部に突出する外側軸部に、操作軸に操作力を付与する操作ハンドルを設けていた（特許文献１参照）。
【先行技術文献】
【特許文献】
【０００３】
【特許文献１】特開２０００−３１２８６８号公報
【発明の概要】
【発明が解決しようとする課題】
【０００４】
従来の管内清掃装置では、前記液体輸送管の開閉弁に液密状態で接続された作業用ケースに対して、操作軸の外側軸部に設けられている操作ハンドルを押込み操作して、操作軸の内側軸部に設けられている清掃具を開弁操作された開閉弁の内部流路を通して液体輸送管内の清掃対象領域に送り込み、操作軸に回転操作力、操作軸芯方向への摺動操作力、液体輸送管の内壁に清掃具を当て付けるための傾動操作力を適宜付与することにより、液体輸送管の内壁に発生した錆び瘤等の垢滓を除去するように構成されている。
【０００５】
しかし、操作軸の内側軸部及び清掃具に作用する液圧に抗して、操作軸の清掃具を開弁操作された開閉弁の内部流路を通して液体輸送管内の清掃対象領域に送り込み、かつ、その清掃対象領域において、操作軸に回転操作力、操作軸芯方向への摺動操作力、液体輸送管の内壁に清掃具を当て付けるための傾動操作力を適宜付与する必要があるため、液体輸送管の管内清掃に多大の労力を要する不都合がある。
【０００６】
特に、前記液体輸送管の内圧が高く、且つ、作業者が非力の場合には、操作軸の内側軸部及び清掃具に作用する水圧で操作軸が急激に押し戻されることがある。
【０００７】
本発明は、上述の実状に鑑みて為されたものであって、その主たる課題は、操作軸の清掃具を液圧に抗して液体輸送管内の清掃対象領域に確実、容易に送り込むことができ、且つ、その送り込み状態を確実に維持することができるものでありながら、前記操作軸に対する操作性を高めて管内清掃作業能率の向上を図ることのできる管内清掃装置を提供する点にある。
【課題を解決するための手段】
【０００８】
本発明による第１の特徴構成は、管内清掃対象の液体輸送管の開閉弁に対して液密状態で接続可能な作業用ケースに、液体輸送管の内壁を清掃する清掃具を備えた操作軸を、液密状態を維持したまま操作軸芯方向に摺動自在で、且つ、回転並びに傾動可能に貫設し、前記操作軸のうち、前記作業用ケースの外部に突出する外側軸部に、操作軸芯周りで回転自在な連結具を設け、この連結具と固定部との間には、前記液体輸送管内の液圧に抗して前記操作軸の清掃具を液体輸送管内に押し込み移動させる押込み操作手段を設けるとともに、前記操作軸の外側軸部に操作力を付与する操作力付与手段を設け、さらに、前記押込み操作手段には、前記操作力付与手段による操作軸の傾動操作を許容する融通を設けてある点にある。
【０００９】
上記構成によれば、前記液体輸送管の開閉弁に作業用ケースを液密状態で接続するとともに、前記操作軸の連結具と作業用ケースや開閉弁等の固定部との間に押込み操作手段を設け、この押込み操作手段の押込み操作により、操作軸の清掃具を液圧に抗して液体輸送管内の清掃対象領域に確実，容易に送り込むことができるとともに、前記操作軸の清掃具を送り込み位置に保持することができる。
【００１０】
しかも、前記押込み操作手段に設けた融通によって操作軸を容易に傾動操作することができることと、前記押込み操作手段に位置保持されている連結具に対して操作軸を自由に回転操作することができることと、前記操作軸の送り込み移動は押込み操作手段又は操作軸に設けた操作力付与手段によって行うことができることと、前記操作軸の戻し移動は液圧を利用した押込み操作手段の戻し操作によって楽に行うことができることとにより、液体輸送管内の清掃対象領域において、前記操作軸に対して回転操作力、操作軸芯方向への摺動操作力、液体輸送管の内壁に清掃具を当て付けるための傾動操作力を少ない労力で容易に付与することができる。
【００１１】
したがって、前記操作軸の清掃具を液圧に抗して液体輸送管内の清掃対象領域に確実、容易に送り込むことができ、且つ、その状態を確実に維持することができるものでありながら、前記操作軸に対する操作性を高めて管内清掃作業能率の向上を図ることができる。
【００１２】
本発明による第２の特徴構成は、前記連結具の連結回転筒における作業用ケース側の端面と、これに操作軸芯方向から相対向する状態で前記操作軸に設けられた第１受け部との間に第１スラストベアリングが介装されている点にある。
【００１３】
上記構成によれば、操作軸の内側軸部及び清掃具に作用する液圧が、前記押込み操作手段に位置保持されている連結具の連結回転筒における作業用ケース側の端面に対して、操作軸に設けられた第１受け部を操作軸芯方向から押し付ける力として作用するが、この連結具の連結回転筒と第１受け部との間には第１スラストベアリングが介装されているため、連結具に対する操作軸の回転操作を少ない労力で楽に行うことができる。
【００１４】
本発明による第３の特徴構成は、前記連結具の連結回転筒における操作軸の外側軸端側の端面と、これに操作軸芯方向から相対向する状態で前記操作軸の外側軸部に設けられた第２受け部との間に第２スラストベアリングが介装されている点にある。
【００１５】
上記構成によれば、前記操作軸に設けた操作力付与手段によって液体輸送管内の清掃対象領域にある清掃具を液圧に抗して送り込みながら回転操作する場合には、操作軸の内側軸部及び清掃具に作用する液圧が、前記押込み操作手段に位置保持されている連結具の連結回転筒における操作軸の外側軸端側の端面を介して、操作軸の外側軸部に設けられた第２受け部に作用するが、この連結具の連結回転筒と第２受け部との間には第２スラストベアリングが介装されているため、操作軸を送り込みながらの回転操作を少ない労力で楽に行うことができる。
【００１６】
本発明による第４の特徴構成は、前記操作軸が、前記清掃具を備えた第１操作軸と、前記操作力付与手段及び連結具を備えた第２操作軸とから構成され、前記第２操作軸には、第１操作軸の外側軸部に螺合固定される連結筒部が形成されているとともに、前記連結筒部の端面又は当該連結筒部の端面に当接する状態で第１操作軸の外側軸部に螺合固定されるロックナットの端面が、前記作業用ケースに操作軸芯方向から当接して前記操作軸の最大押込み位置を規制する押込み規制面に構成されている点にある。
【００１７】
上記構成によれば、前記操作軸を、清掃具を備えた第１操作軸と操作力付与手段及び連結具を備えた第２操作軸とに分割構成して製作の容易化を図るとともに、両操作軸の螺合連結構造のうち、第１操作軸の連結筒部の端面又は当該連結筒部の端面に当接する状態で第１操作軸の外側軸部に螺合固定されるロックナットの端面を押込み規制面に利用して操作軸の最大押込み位置を規制することができるので、操作軸の最大押込み位置規制構造の簡素化を図ることができる。
【００１８】
本発明による第５の特徴構成は、前記操作軸の外側端部に、当該操作軸に回転力を付与する駆動回転手段の回転出力部と手動回転操作ハンドルが選択的に着脱自在に嵌合接続される受動軸部が形成されている点にある。
【００１９】
上記構成によれば、前記操作軸を回転操作するに当って、駆動回転手段と手動回転操作ハンドルとを作業条件等に応じて便利に使い分けることができる。
【００２０】
本発明による第６の特徴構成は、前記固定部が、前記操作軸の連結具に対して操作軸芯方向で相対向する状態で前記作業用ケースに設けられた固定連結部材から構成されている点にある。
【００２１】
上記構成によれば、前記固定部として、開閉弁や液体輸送管或いはそれらの周囲に存在する地面や躯体などを使用する場合に比して、前記操作軸の連結具との位置関係が明確で距離的にも最も取り扱い易い作業用ケースを利用して、当該作業用ケースに設けられた固定連結部材から構成することにより、前記押込み操作手段の装着作業の能率化と容易化を図ることができる。
【００２２】
本発明による第７の特徴構成は、前記操作軸に、前記作業用ケースに対する操作軸の押込み側への移動に制動力を付与する移動規制手段が設けられている点にある。
【００２３】
上記構成によれば、前記液体輸送管の開閉弁に対する作業用ケースの接続時や押込み操作手段の装着時において、作業者が意図しないときに操作軸が自重等で押込み側に移動することに起因する作業の乱れを回避することができる。
【図面の簡単な説明】
【００２４】
【図１】本発明の第１実施形態を示す管内清掃装置の取付け前と取付け後の一部切欠き側面図
【図２】管内清掃装置の一部破断斜視図
【図３】管内清掃装置の連結具及び操作力付与手段の拡大一部切欠き側面図
【図４】管内清掃装置の作業用ケース及び清掃具の拡大断面図
【図５】清掃具の端面図と一部切欠き側面図
【図６】作業用ケース及び移動規制手段の斜視図と拡大一部切欠き平面図
【図７】連結半径調節手段を取付けた大口径用の管内清掃装置の一部切欠き側面図
【図８】大口径用の管内清掃装置の連結具の一部分解一部切欠き側面図
【図９】連結具及び操作力付与手段の拡大一部切欠き側面図
【図１０】管内清掃装置の取付け以降の管内清掃工程を示す一部切欠き側面図
【図１１】管内清掃工程の終了時の一部切欠き側面図
【図１２】本発明の第２実施形態を示す管内清掃装置の連結具及び操作力付与手段の拡大一部切欠き側面図
【図１３】本発明の第３実施形態を示す管内清掃装置の一部切欠き側面図
【発明を実施するための形態】
【００２５】
〔第１実施形態〕
図１（ａ）は、液体輸送管の配管系統の一例で、水道管１に突出形成された分岐管１Ａの連結フランジ１Ｂに補修弁２の上流側となる下側連結フランジ２Ａをボルト３・ナット４等の締結具で固定連結し、前記補修弁２の下流側となる上側連結フランジ２Ｂには、空気弁５の連結フランジ５Ａをボルト３・ナット４等の締結具で固定連結してある水道配管系統を示す。
【００２６】
図１（ｂ）〜図９は、前記補修弁２及び空気弁５を更新するために、その事前作業として、管内清掃対象の分岐管１Ａの内周面に発生した錆び瘤等の垢滓を除去する清掃作業を行う場合に用いられる本願発明の管内清掃装置Ａを示し、この管内清掃装置Ａを取り付けるに当っては、前記空気弁５が撤去された補修弁２の上側連結フランジ２Ｂに、作業用開閉弁６の上流側となる下側連結フランジ６Ａをボルト３・ナット４等の締結具で固定連結する。
【００２７】
前記管内清掃装置Ａを構成するに、前記作業用開閉弁６の上側連結フランジ６Ｂに対して水密（液密）状態で接続可能な連結フランジ７Ａを備えた作業用ケース７の天井壁７Ｂには、分岐管１Ａの内壁を清掃する金属製の清掃具８を備えた操作軸９が、水密状態を維持したまま操作軸芯方向に摺動自在で、且つ、回転並びに傾動可能に貫設されているとともに、前記操作軸９のうち、前記作業用ケース７の外部に突出する外側軸部には、操作軸芯周りで回転自在な連結具１０が設けられている。
【００２８】
また、前記連結具１０と固定部である作業用ケース７との間には、前記分岐管１Ａ内の水圧に抗して前記操作軸９の清掃具８を分岐管１Ａ内に押し込み移動させる押込み操作手段１１が設けられ、前記操作軸９の外側軸部には、当該操作軸９に操作力を付与する操作力付与手段１２が設けられている。
【００２９】
さらに、前記押込み操作手段１１には、前記操作力付与手段１２による操作軸９の傾動操作及び押込み操作を許容する融通が設けられ、前記操作軸９には、前記作業用ケース７に対する操作軸９の押込み側への移動に制動力を付与する移動規制手段１３が設けられているとともに、前記連結具１０には、操作軸芯から押込み操作手段１１の取付け位置までの連結半径を分岐管１Ａの口径に応じて二段に変更する連結半径調節手段１４が設けられている。
【００３０】
前記作業用ケース７の筒状壁７Ｃには、図２、図６（ａ）に示すように、前記清掃具８による掻き取り作用によって分岐管１Ａの内周面からで掻き落とされた錆び瘤等の垢滓を水道水（上水）とともに外部に排出するための大径の接続口部７Ｄと、前記作業用開閉弁６の下流側水路での止水状態を確認したり、或いは、分岐管１Ａ内の水圧を計測する水圧計を取付けるための小径の接続口部７Ｅとが設けられているとともに、前記作業用ケース７の天井壁７Ｂの軸挿通孔の内周面には、図４に示すように、前記操作軸９の回転、操作軸芯方向への摺動、分岐管１Ａの内周面に清掃具８を当て付け可能な範囲での傾動を許容する状態で操作軸９の外周面との間を水密状態に維持するＯリング（ガスケット）１５が設けられている。
【００３１】
前記作業用ケース７内には、図４に示すように、操作軸９の清掃具８を完全に収納可能な大きさの収納空間１６が形成されているとともに、前記作業用ケース７の筒状壁７Ｃのうち、前記連結具１０に対して操作軸芯方向で相対向する部位には、前記連結具１０との間で押込み操作手段１１を脱着自在に係止保持する固定連結部材の一例で、環状の係止部を備えたアイナット１７が、前記筒状壁７Ｃの外周面に固着されたボルト等の適宜固定手段で固定されている。
【００３２】
前記操作軸９は、図３、図４に示すように、清掃具８を螺合固定するための第１雄ネジ９ａを形成してある第１操作軸９Ａと、前記操作力付与手段１２及び連結具１０を備えた第２操作軸９Ｂに分割構成され、前記第２操作軸９Ｂには、第１操作軸９Ａの外側軸部に形成された第２雄ネジ９ｂに螺合連結可能な連結筒部９Ｃが一体形成されているとともに、前記第１操作軸９Ａの第２雄ネジ９ｂには、前記第２操作軸９Ｂの連結筒部９Ｃの端面に当接する緩み止め固定用のロックナット９Ｄが螺合され、このロックナット９Ｄの端面が、前記作業用ケース７の天井壁７Ｂの外面に操作軸芯方向から当接して前記操作軸９の最大押込み位置を規制する押込み規制面に構成されている。
【００３３】
尚、前記ロックナット９Ｄが設けられていない場合には、前記連結筒部９Ｃの端面が、前記作業用ケース７の天井壁７Ｂの外面に操作軸芯方向から当接して前記操作軸９の最大押込み位置を規制する押込み規制面に構成されることになる。
【００３４】
前記清掃具８は、図４、図５に示すように、第１操作軸９Ａの第１雄ネジ９ａに螺合自在なロングナット８Ａに、第１操作軸９Ａの第１雄ネジ９ａに外装される取付け筒体８Ｂを固着し、この取付け筒体８Ｂの外周面の周方向複数箇所には、分岐管１Ａの内周面に発生した錆び瘤等の垢滓を掻き落とす一つ又は複数の掻き落し板８Ｃが固着されているとともに、前記掻き落し板８Ｃの掻き落し作用部が、操作軸芯方向の中間部位が径方向外方に最も突出する山形状の多角形状に構成されている。
【００３５】
前記第１操作軸９Ａの第１雄ネジ９ａに、清掃具８のロングナット８Ａを螺合装着するときには、これに先立って緩み止め用のロックナット８Ｄを螺合装着しておく。
【００３６】
前記連結具１０を構成するに、図３に示すように、前記第２操作軸９Ｂに、円周方向二箇所に取付けボルト１０Ｂを突設してある連結回転筒１０Ａが回転自在に外装され、前記取付けボルト１０Ｂには、前記作業用ケース７のアイナット１７との間で押込み操作手段１１を脱着自在に係止保持する連結部材の一例で、環状の係止部を備えたアイナット１０Ｃと、当該アイナット１０Ｃを緩み止め固定するロックナット１０Ｄとが螺合装着されている。
【００３７】
また、前記連結回転筒１０Ａにおける作業用ケース７側の一端面と、これに操作軸芯方向から相対向する状態で前記第２操作軸９Ｂに設けられた鍔状の第１受け部９Ｅとの間には、連結回転筒１０Ａの一端面側を操作軸芯周りで回転自在に支持する第１スラストベアリング１９が介装されているとともに、前記第２操作軸９Ｂに形成されている第３雄ネジ９のうち、前記連結回転筒１０Ａから突出する外側雄ネジには、前記連結回転筒１０Ａにおける第２操作軸９Ｂの外側軸端側の他端面に操作軸芯方向から当接する押えカバー１８と、該押えカバー１８を介して連結回転筒１０Ａを第１スラストベアリング１９に押付けた状態で抜止め固定する止めナット１０Ｅが装着されている。
【００３８】
そして、前記操作軸９の内側軸部及び清掃具８に作用する水圧が、前記押込み操作手段１１で位置保持されている連結具１０の連結回転筒１０Ａにおける作業用ケース７側の一端面に対して、操作軸９の第２操作軸９Ｂに設けられた第１受け部９Ｅを操作軸芯方向から押し付ける力として作用するが、この連結具１０の連結回転筒１０Ａと第１受け部９Ｅとの間には第１スラストベアリング１９が介装されているため、連結具１０の連結回転筒１０Ａに対する操作軸９の回転操作を少ない労力で楽に行うことができる。
【００３９】
図１（ｂ）、図３に示す連結具１０の構造は、分岐管１Ａの口径が小さい場合であり、図７、図８に示すように、分岐管１Ａの口径が大きくなった場合には、前記連結半径調節手段１４によって操作軸芯からアイナット１０Ｃの係止位置までの連結半径を大きくする必要がある。
この連結半径調節手段１４は、前記連結回転筒１０Ａの取付けボルト１０Ｂとアイナット１０Ｃに螺合した延長ボルト１４Ａとをロングナット１４Ｂで螺合連結することにより構成されている。
【００４０】
前記押込み操作手段１１は、図１（ｂ）、図７に示すように、連結具１０のアイナット１０Ｃ又は作業用ケース７のアイナット１７に係止可能な第１フック１１Ａと、作業用ケース７のアイナット１７又は連結具１０のアイナット１０Ｃに係止可能な第２フック１１Ｂと、第１フック１１Ａを引き出し可能に連繋されたチェーン（又はワイヤー）１１Ｃを緊締側に巻き取り操作する操作レバー１１Ｄとを備えたレバーブロックから構成されている。
【００４１】
前記両レバーブロック１１の第１フック１１Ａ及び第２フック１１Ｂを連結具１０のアイナット１０Ｃ及び作業用ケース７のアイナット１７に係止し、この状態で操作レバー１１Ｄを巻取り側に操作すると、作業用ケース７内に収納されていた操作軸９の清掃具８が、開弁操作された作業用開閉弁６の内部流路及び開弁操作状態に維持されている補修弁２の内部流路を通して分岐管１Ａ内の清掃作業領域に送り込まれる。
【００４２】
前記操作レバー１１Ｄによる押込み操作を停止すると、前記操作軸９の内側軸部及び清掃具８に作用する水圧でチェーン１１Ｃの緊張状態が維持され、清掃具８が分岐管１Ａ内の押込み操作位置に保持される。
【００４３】
前記レバーブロック１１のチェーン１１Ｃが緊張状態にある状態でも、このチェーン１１Ｃの持つ屈曲性を利用して、前記操作力付与手段１２による操作軸９の傾動操作及び押込み操作を行うことができる。換言すれば、前記チェーン１１Ｃの屈曲性をもって、前記操作力付与手段１２による操作軸９の傾動操作を許容する融通及び押込み操作を許容する融通が構成されている。
【００４４】
前記操作力付与手段１２を構成するに、図９に示すように、前記第２操作軸９Ｂの第３雄ネジ９ｄには、操作軸９に対して回転操作力、操作軸芯方向への摺動操作力、分岐管１Ａの内壁に清掃具８を当て付けるための傾動操作力を付与可能なコの字状の操作ハンドル２１のネジ部２１Ａが螺合固定されているとともに、前記第２操作軸９Ｂの外側端部には、当該操作軸９に回転力を付与する駆動回転手段の一例である電動回転具２２の回転出力部２２Ａと手動回転操作ハンドル２３が選択的に着脱自在に一体回転状態で嵌合接続される受動軸部９Ｇが一体形成されている。
【００４５】
尚、前記第２操作軸９Ｂの受動軸部９Ｇに電動回転具２２の回転出力部２２Ａを嵌合装着して、電動回転具２２の電動力で操作軸９及び清掃具８を駆動回転操作する場合には、前記第２操作軸９Ｂの第３雄ネジ９ｄから操作ハンドル２１を取り外す。
【００４６】
前記移動規制手段１３は、図６に示すように、前記操作軸９に対して直径方向から外嵌可能な円弧状凹部を備えた一対の挾持板１３Ａ，１３Ｂと、一方の挾持板１３Ａの左右両側部に形成された貫通孔１３ａを通して他方の挾持板１３Ｂの左右両側部に形成されたネジ孔１３ｂに螺合される頭付きボルト１３Ｃと回転操作部１３ｄを備えたＬ字ボルト１３Ｄとから構成されている。
【００４７】
前記作業用開閉弁６に対する作業用ケース７の接続時やレバーブロック１１の装着時において、前記操作軸９が作業者の意に反して自重又は外力を受けて下降移動すると作業能率等を阻害する要因になるため、このような場合には、前記操作軸９の清掃具８が作業用ケース７内の所定収納位置にある状態において、前記移動規制手段１３の一対の挾持板１３Ａ，１３Ｂを作業用ケース７の天井壁７Ｂの上面に当て付け、前記Ｌ字ボルト１３Ｄを締め付け操作して両挾持板１３Ａ，１３Ｂを操作軸９に相対移動不能に挾持固定する。
【００４８】
前記操作軸９を押込み操作する場合には、前記Ｌ字ボルト１３Ｄを緩み操作して両挾持板１３Ａ，１３Ｂによる挾持を完全に解除する。
【００４９】
次に、上述の如く構成された管内清掃装置Ａを用いて、前記補修弁２及び空気弁５を更新するために、その事前作業として、管内清掃対象の分岐管１Ａの内周面に発生した錆び瘤等の垢滓を除去する場合の管内清掃方法について説明する。
【００５０】
〔１〕図１に示すように、前記空気弁５が撤去された補修弁２の上側連結フランジ２Ｂに、作業用開閉弁６の下側連結フランジ６Ａを水密状態で固定連結し、この作業用開閉弁６の上側連結フランジ６Ｂに、管内清掃装置Ａの作業用ケース７の連結フランジ７Ａを水密状態で固定連結する。
【００５１】
前記作業用ケース７の大径側接続口部７Ｄにエルボ２５を介して接続した第１排水バルブ２６には排水ホース２７を接続し、前記作業用ケース７の小径側接続口部７Ｄには第２排水バルブ２８を接続するとともに、前記両レバーブロック１１の第１フック１１Ａ及び第２フック１１Ｂを連結具１０のアイナット１０Ｃ及び作業用ケース７のアイナット１７に係止する。
【００５２】
尚、前記更新対象の補修弁２を作業用開閉弁として使用することは可能であるが、更新対象の補修弁２が作業途中で作動不良を起こす可能性があるので、補修弁２に作業用開閉弁６を連結して、補修弁２は開弁操作状態に維持する。
【００５３】
〔２〕図１０（ａ）に示すように、前記作業用開閉弁６を開弁操作したのち、前記両レバーブロック１１の操作レバー１１Ｄを巻取り側に操作し、作業用ケース７内に収納されていた操作軸９の清掃具８を、開弁操作された作業用開閉弁６の内部流路及び開弁操作状態に維持されている補修弁２の内部流路を通して分岐管１Ａ内の清掃作業領域に送り込む。
【００５４】
〔３〕図１０（ｂ）に示すように、前記操作軸９の第２操作軸９Ｂの第３雄ネジ９ｄに螺合固定された操作ハンドル２１により、操作軸９に対して回転操作力、操作軸芯方向への摺動操作力、分岐管１Ａの内壁に清掃具８を当て付けるための傾動操作力を付与するか、或いは、この操作ハンドル２１と、前記第２操作軸９Ｂの外側端部の受動軸部９Ｇに選択的に嵌合接続される電動回転具２２又は手動回転操作ハンドル２３とを併用するか、さらに、前記両レバーブロック１１による操作軸芯方向への摺動操作力を適宜付与することにより、前記清掃具８の複数の掻き落し板８Ｃにより、分岐管１Ａの内周面に発生した錆び瘤等の垢滓を掻き落とす。
【００５５】
このとき、前記第１排水バルブ２６を開き操作し、前記清掃具８で掻き落された錆び瘤等の垢滓を水道水（上水）と共に作業用ケース７、大径側接続口部７Ｄ、エルボ２５、第１排水バルブ２６、排水ホース２７を通して外部の所定箇所に排出する。
【００５６】
〔４〕図１１に示すように、前記分岐管１Ａの清掃領域の清掃作業が終了すると、前記両レバーブロック１１の操作レバー１１Ｄを緩み側に操作してチェーン１１Ｃを繰り出し、前記操作軸９の清掃具８を作業用ケース７内に収納する。
【００５７】
次に、前記作業用開閉弁６を閉弁操作したのち、この作業用開閉弁６から管内清掃装置Ａを撤去し、前記補修弁２及び空気弁５の更新工法の次の作業工程に移行すする。
【００５８】
〔第２実施形態〕
上述の第１実施形態では、図３、図８に示すように、前記連結具１０の連結回転筒１０Ａにおける作業用ケース７側の一箇所にスラストベアリング１９を設けたが、図１２に示すように、前記連結回転筒１０Ａにおける作業用ケース７側の一端面と、これに操作軸芯方向から相対向する状態で前記第２操作軸９Ｂに設けられた鍔状の第１受け部９Ｅとの間に、連結回転筒１０Ａの一端面側を操作軸芯周りで回転自在に支持する第１スラストベアリング１９を介装するとともに、前記連結回転筒１０Ａにおける第２操作軸９Ｂの外側軸部側の他端面と、これに操作軸芯方向から相対向する状態で前記第２操作軸９Ｂの外側軸部に回転自在に外装された円環状の第２受け部９Ｆとの間には、連結回転筒１０Ａの他端面側を操作軸芯周りで回転自在に支持する第２スラストベアリング２０を介装してもよい。
【００５９】
この第２実施形態の場合は、第１実施形態での効果に加えて、前記操作軸９に設けた操作力付与手段１２によって分岐管１Ａ内の清掃対象領域にある清掃具８を水圧に抗して送り込みながら回転操作する場合には、操作軸９の内側軸部及び清掃具８に作用する液圧が、前記押込み操作手段１１で位置保持されている連結具１０の連結回転筒１０Ａにおける第２操作軸９Ｂの外側軸端側の他端面を介して、第２操作軸９Ｂの外側軸部に設けられた第２受け部９Ｆに作用するが、この連結具１０の連結回転筒１０Ａと第２受け部９Ｆとの間には第２スラストベアリング２０が介装されているため、操作軸９を送り込みながらの回転操作を少ない労力で楽に行うことができる。
【００６０】
尚、その他の構成は、第１実施形態で説明した構成と同一であるから、同一の構成箇所には、第１実施形態と同一の番号を付記してそれの説明は省略する。
【００６１】
〔第３実施形態〕
上述の第１実施形態では、前記操作軸９の第２操作軸９Ｂの第３雄ネジ９ｄにコの字状の操作ハンドル２１のネジ部２１Ａを螺合固定したが、図１３に示すように、前記操作軸９の第１操作軸９Ａと第２操作軸９Ｂとの間に設けてもよい。
【００６２】
この第３実施形態では、前記第２操作軸９Ｂには、第１操作軸９Ａの外側軸部に形成された第２雄ネジ９ｂに螺合連結可能な連結筒部９Ｃが一体形成されているとともに、前記第１操作軸９Ａの第２雄ネジ９ｂには、前記第２操作軸９Ｂの連結筒部９Ｃの端面に当接する緩み止め固定用のロックナット９Ｄが螺合され、このロックナット９Ｄと連結筒部９Ｃとの間において、前記操作ハンドル２１のネジ部２１Ａが第１操作軸９Ａの第２雄ネジ９ｂに螺合されている。
【００６３】
前記操作ハンドル２１は、左右のグリップ部が上方に向く姿勢で取付けたが、仮想線で示すように、左右のグリップ部が下方に向く姿勢で取付けることもできる。
【００６４】
また、この第３実施形態では、前記第２操作軸９Ｂに、円周方向二箇所に取付けボルト１０Ｂを突設してある連結回転筒１０Ａが、第２操作軸９Ｂの外側軸端側から脱着操作自在な状態で回転自在に外装され、前記取付けボルト１０Ｂには、前記作業用ケース７のアイナット１７との間で押込み操作手段１１を脱着自在に係止保持する連結部材の一例で、環状の係止部を備えたアイナット１０Ｃと、当該アイナット１０Ｃを緩み止め固定するロックナット１０Ｄとが螺合装着されている。
【００６５】
さらに、この第３実施形態では、前記連結回転筒１０Ａにおける作業用ケース７側の一端面と、これに操作軸芯方向から相対向する状態で前記第２操作軸９Ｂに設けられた鍔状の第１受け部９Ｅとの間には、連結回転筒１０Ａの一端面側を操作軸芯周りで回転自在に支持する第１スラストベアリング１９が介装されている。
【００６６】
尚、その他の構成は、第１実施形態で説明した構成と同一であるから、同一の構成箇所には、第１実施形態と同一の番号を付記してそれの説明は省略する。
【００６７】
〔その他の実施形態〕
（１）上述の各実施形態では、前記作業用ケース７の天井壁７Ｂに対して、分岐管１Ａの内壁を清掃する清掃具８を備えた操作軸９を３６０度以上に回転自在に構成したが、この操作軸９を３６０度未満の範囲で回転自在に構成してもよい。
【００６８】
（２）上述の各実施形態では、前記清掃具８を、一つ又は複数の掻き落し板８Ｃを備えた書き落とし具から構成したが、金属製のブラシ等から構成してもよい。
前記清掃具８としては、分岐管１Ａの内周面に発生した錆び瘤等の垢滓を除去することのできるものであれば、如何なる構造のものを使用してもよい。
【００６９】
（３）上述の各実施形態では、前記操作軸９を、清掃具８を備えた第１操作軸９Ａと、前記操作力付与手段１２及び連結具１０を備えた第２操作軸９Ｂとに二分割して構成したが、この操作軸９を三つ以上に分割構成してもよく、また、この操作軸９を分割しないで一本の軸から構成してもよい。
【００７０】
（４）上述の各実施形態では、前記押込み操作手段１１をレバーブロックから構成したが、前記押込み操作手段１１としては、前記分岐管１Ａ内の水圧に抗して前記操作軸９の清掃具８を分岐管１Ａ内に押し込み移動させることのできるものであれば、如何なる構造のものを使用してもよい。
【００７１】
（５）上述の各実施形態では、前記連結具１０との間で押込み操作手段１１を脱着自在に係止保持する固定連結部材として、環状の係止部を備えたアイナット１７から構成したが、押込み操作手段１１を脱着自在に係止保持することのできるものであれば、如何なる構造のものを使用してもよい。
また、前記固定部として、補修弁２や水道管１或いはそれらの周囲に存在する地面や躯体などを使用してもよい。
【００７２】
（６）上述の各実施形態では、更新対象の補修弁２に作業用開閉弁６を連結したが、既存の補修弁等をそのまま作業用ケース７を連結するための開閉弁として用いてもよい。
【００７３】
（７）上述の第１実施形態では、前記操作力付与手段１２を構成するに、前記操作ハンドル２１と電動回転具２２又は手動回転操作ハンドル２３を主要構成とし、前記両レバーブロック１１を補助構成としたが、前記操作ハンドル２１だけで構成してもよい。
【００７４】
（８）上述の各実施形態では、前記液体輸送管として水道管１を例に挙げて説明したが、下水管等の他の液体輸送管にも適用することができる。
【符号の説明】
【００７５】
１      液体輸送管（水道管）
６      作業用開閉弁
７      作業用ケース
８      清掃具
９      操作軸
９Ａ    第１操作軸
９Ｂ    第２操作軸
９Ｃ    連結筒部
９Ｄ    ロックナット
９Ｅ    第１受け部
９Ｆ    第２受け部
１０    連結具
１０Ａ  連結回転筒
１１    押込み操作手段
１２    操作力付与手段
１３    移動規制手段
１７    固定連結部材（アイナット）
１９    第１スラストベアリング
２０    第２スラストベアリング
２２    駆動回転手段（電動回転具）
２２Ａ  回転出力部
【図１】
2011041898.tif 000003
【図２】
2011041898.tif 000004
【図３】
2011041898.tif 000005
【図４】
2011041898.tif 000006
【図５】
2011041898.tif 000007
【図６】
2011041898.tif 000008
【図７】
2011041898.tif 000009
【図８】
2011041898.tif 000010
【図９】
2011041898.tif 000011
【図１０】
2011041898.tif 000012
【図１１】
2011041898.tif 000013
【図１２】
2011041898.tif 000014
【図１３】
2011041898.tif 000015